(57)【要約】【課題】発変電所機器の状態を自動監視することができる変電所機器の遠方監視方法およびシステムを提供する。【解決手段】遠方操作機器については、たとえば、変電所に設置された遮断器１０２を切るための切指令信号２０１を遠制装置から遮断器１０２に入力し、切指令信号２０１に対する遮断器１０２の応動時間を測定するための補助スイッチ５０４の出力信号２０２を遮断器１０２から遠制装置に入力し、遠制装置が補助スイッチ５０４の出力信号２０２に応じて遮断器１０２の状態を判定する。また、現地自動操作機器については、たとえば、変電所に設置されたタップ切換器が動作していることを示すタップ切換モータ用の駆動信号をタップ切換器から遠制装置に入力し、遠制装置がこの駆動信号に応じてタップ切換器の状態を判定する。【選択図】  図２
2005168121.tif 000002
【特許請求の範囲】
【請求項１】
発変電所の遠方操作機器の状態を遠制装置（１１００）により監視するのに用いられる発変電所機器の遠方監視方法であって、
前記遠方操作機器を操作するための指令信号を前記遠制装置（１１００）から該遠方操作機器に入力し、
前記指令信号に対する前記遠方操作機器の応動時間を測定するための信号を該遠方操作機器から前記遠制装置（１１００）に入力し、
前記遠制装置（１１００）が前記応動時間に応じて前記遠方操作機器の状態を判定する、
ことを特徴とする、発変電所機器の遠方監視方法。
【請求項２】
前記遠方操作機器が、変電所に設置された遮断器（１０２）であり、
前記指令信号が、前記遮断器（１０２）を開閉させるための指令信号（２０１，２０３）であり、
前記応動時間を測定するための信号が、前記遮断器（１０２）の開閉動作に応じて作動する補助スイッチ（５０４）の出力信号（２０２）である、
ことを特徴とする、請求項１記載の発変電所機器の遠方監視方法。
【請求項３】
前記遠制装置（１１００）が、前記指令信号（２０１，２０３）を前記遮断器（１０２）に入力した時間から前記補助スイッチ（５０４）の出力信号（２０２）が変化するまでの時間を測定し、該測定した時間の長短により前記遮断器（１０２）の状態を判定することを特徴とする、請求項２記載の発変電所機器の遠方監視方法。
【請求項４】
前記遠方操作機器が、変電所に設置された断路器（１０１）であり、
前記指令信号が、前記断路器（１０１）を開閉させるための指令信号（３０１）であり、
前記応動時間を測定するための信号が、前記断路器（１０１）の開閉動作に応じて作動するリミットスイッチ（６２０，６２１）の出力信号（３０２，３０３）である、
ことを特徴とする、請求項１記載の発変電所機器の遠方監視方法。
【請求項５】
前記遠制装置（１１００）が、前記指令信号（３０１）を前記断路器（１０１）に入力した時間から前記リミットスイッチ（６２０，６２１）の出力信号（３０２，３０３）が変化するまでの時間を測定し、該測定した時間の長短により前記断路器（１０１）の状態を判定することを特徴とする、請求項４記載の発変電所機器の遠方監視方法。
【請求項６】
発変電所の現地自動動作機器の状態を遠制装置（１１００）により監視するのに用いられる発変電所機器の遠方監視方法であって、
前記現地自動動作機器が動作していることを示す信号を該現地自動動作機器から前記遠制装置（１１００）に入力し、
該遠制装置（１１００）が前記信号に応じて前記現地自動動作機器の状態を判定する、
ことを特徴とする、発変電所機器の遠方監視方法。
【請求項７】
前記現地自動動作機器が、変電所に設置されたタップ切換器（７０１）であり、
前記信号が、前記タップ切換器（７０１）のタップ切換モータを駆動する駆動信号（８０１）である、
ことを特徴とする、請求項６記載の発変電所機器の遠方監視方法。
【請求項８】
前記遠制装置（１１００）が、前記駆動信号（８０１）より前記タップ切換モータの動作時間を測定し、該測定した動作時間の長短により前記タップ切換器（７０１）の状態を判定する、
ことを特徴とする、請求項７記載の発変電所機器の遠方監視方法。
【請求項９】
前記現地自動動作機器が、発変電所で用いられる排水ポンプであり、
前記信号が、前記排水ポンプを駆動する駆動信号である、
ことを特徴とする、請求項６記載の発変電所機器の遠方監視方法。
【請求項１０】
前記現地自動動作機器が、発変電所で用いられるコンプレッサであり、
前記信号が、前記コンプレッサを駆動する駆動信号である、
ことを特徴とする、請求項６記載の発変電所機器の遠方監視方法。
【請求項１１】
前記遠制装置（１１００）が、前記タップ切換器（７０１）のタップ切換モータを駆動する駆動信号（８０１），前記排水ポンプを駆動する駆動信号および前記コンプレッサを駆動する駆動信号より前記タップ切換モータ，前記排水ポンプおよび前記コンプレッサの所定時間当りの動作回数をそれぞれ測定し、該測定した動作回数の多少により前記タップ切換器（７０１），前記排水ポンプおよび前記コンプレッサの状態をそれぞれ判定することを特徴とする、請求項７，９および１０いずれかに記載の発変電所機器の遠方監視方法。
【請求項１２】
発変電所の遠方操作機器および現地自動動作機器の状態を遠制装置（１１００）により監視するのに用いられる発変電所機器の遠方監視方法であって、
前記遠方操作機器を操作するための指令信号を前記遠制装置（１１００）から該遠方操作機器に入力し、
前記指令信号に対する前記遠方操作機器の応動時間を測定するための信号を該遠方操作機器から前記遠制装置（１１００）に、また、前記現地自動動作機器が動作していることを示す信号を該現地自動動作機器から前記遠制装置（１１００）に入力し、
前記遠制装置（１１００）が前記応動時間および前記信号に応じて前記遠方操作機器および前記現地自動動作機器の状態をそれぞれ判定する、
ことを特徴とする、発変電所機器の遠方監視方法。
【請求項１３】
発変電所の遠方操作機器および現地自動動作機器の状態を遠制装置（１１００）により監視するのに用いられる発変電所機器の遠方監視システムであって、
前記遠制装置（１１００）に設けられた、かつ、前記遠方操作機器を操作するための指令信号を発生し該遠方操作機器に入力する手段（１１１０）と、
前記遠方操作機器に設けられた、かつ、前記指令信号に対する該遠方操作機器の応動時間を測定するための信号を前記遠制装置（１１００）に入力する手段と、
前記現地自動動作機器に設けられた、かつ、該現地自動動作機器が動作していることを示す信号を前記遠制装置（１１００）に入力する手段と、
前記遠制装置（１１００）に設けられた、かつ、前記応動時間および前記信号に応じて前記遠方操作機器および前記現地自動動作機器の状態をそれぞれ判定する手段（１１２０）と、
を備えることを特徴とする、発変電所機器の遠方監視システム。
【請求項１４】
前記遠方操作機器が、変電所に設置された遮断器（１０２）および断路器（１０１）であり、
前記指令信号が、前記遮断器（１０２）を開閉させるための第１の指令信号（２０１，２０３）および前記断路器（１０１）を開閉させるための第２の指令信号（３０１）であり、
前記応動時間を測定するための信号が、前記遮断器（１０２）の開閉動作に応じて作動する補助スイッチ（５０４）の出力信号（２０２）および前記断路器（１０１）の開閉動作に応じて作動するリミットスイッチ（６２０，６２１）の出力信号（３０２，３０３）であり、
前記遠制装置（１１００）に設けられた、かつ、前記第１の指令信号（２０１，２０３）を前記遮断器（１０２）に入力した時間から前記補助スイッチ（５０４）の出力信号（２０２）が変化するまでの時間を測定し該測定した時間の長短により前記遮断器（１０２）の状態を判定するとともに、前記第２の指令信号（３０１）を前記断路器（１０１）に入力した時間から前記リミットスイッチ（６２０，６２１）の出力信号（３０２，３０３）が変化するまでの時間を測定し該測定した時間の長短により前記断路器（１０１）の状態を判定する手段（１１２０）をさらに備える、
ことを特徴とする、請求項１３記載の発変電所機器の遠方監視システム。
【請求項１５】
前記現地自動動作機器が、変電所に設置されたタップ切換器（７０１），発変電所で用いられる排水ポンプおよび発変電所で用いられるコンプレッサであり、
前記信号が、前記タップ切換器（７０１）のタップ切換モータを駆動する駆動信号（８０１），前記排水ポンプを駆動する駆動信号および前記コンプレッサを駆動する駆動信号であり、
前記遠制装置（１１００）に設けられた、かつ、前記タップ切換器（７０１）のタップ切換モータを駆動する前記駆動信号（８０１）より前記タップ切換モータの動作時間を測定し該測定した動作時間の長短により前記タップ切換器（７０１）の状態を判定するとともに、前記排水ポンプを駆動する駆動信号および前記コンプレッサを駆動する駆動信号より前記排水ポンプおよび前記コンプレッサの所定時間当りの動作回数をそれぞれ測定し該測定した動作回数の多少により前記排水ポンプおよび前記コンプレッサの状態をそれぞれ判定する手段（１１２０）をさらに備える、
ことを特徴とする、請求項１３または１４記載の発変電所機器の遠方監視システム。
【請求項１６】
前記判定する手段（１１２０）が、前記タップ切換器（７０１）のタップ切換モータを駆動する前記駆動信号（８０１）より前記タップ切換モータの動作時間を測定し該測定した動作時間の長短により前記タップ切換器（７０１）の状態を判定する代わりに、前記タップ切換器（７０１）のタップ切換モータを駆動する前記駆動信号（８０１）より前記タップ切換器（７０１）の所定時間当りの動作回数を測定し該測定した動作回数の多少により前記タップ切換器（７０１）の状態を判定することを特徴とする、請求項１５記載の発変電所機器の遠方監視システム。
【発明の詳細な説明】
【技術分野】
【０００１】
本発明は、発変電所機器の遠方監視方法およびシステムに関し、特に、発変電所で使用されている遠方操作機器および現地自動動作機器を自動監視してトラブル発生を未然に防ぐことができる発変電所機器の遠方監視方法およびシステムに関するものである。
【背景技術】
【０００２】
従来、発変電所機器の監視は監視員が定期的に発変電所に出かけて行っていたが、近年のコンピュータ技術および通信技術の発達に伴い、給電所・制御所に遠方監視制御システムを設け、この遠方監視制御システムと端末装置とをネットワークを介して接続することにより、端末装置で遠方監視制御システムからの監視データを確認することによって発変電所機器の監視を行う電力系統監視制御システムが提案されている。
このような電力系統監視制御システムとしては、たとえば以下に示す２つの特許文献に開示されているものがある。
【特許文献１】特開２００３−６１２６５号公報
【特許文献２】特開平６−８６４６２号公報
【発明の開示】
【発明が解決しようとする課題】
【０００３】
しかしながら、上記特許文献１（特開２００３−６１２６５号公報）は、電力系統機器の動作状況を受信して保存する動作状況保存手段とこの動作状況保存手段内にある電力系統機器の動作情報を閲覧する複数の端末装置とがネットワークを介して接続することにより、重大な障害に対しての復旧時間短縮と早期発見を実現する電力系統監視制御システムを開示する。しかしながら、上記特許文献１は、たとえば電力系統監視制御システムの設置されている場所以外からもシステム構成機器の状態を端末装置を用いて確認することを開示するだけであり、発変電所機器の状態を具体的にどのようにして監視するかについては何ら開示していない。
【０００４】
上記特許文献２（特開平６−８６４６２号公報）は、電気所の機器の異常・兆候を検出し、これを点検対象として登録するとともに、設備停止手順を作成し、停止操作実行後の設備の充停電状態を図面として出力することにより、停電作業に際し、異常・兆候の見落としや操作手順表への反映の誤りをなくした電気所の運転保守支援システムを開示する。しかしながら、上記特許文献２は、異常・兆候の例として、遮断機の開極機構の動作速度が下限値を超えたときを挙げているが、具体的にどのように遮断機の開極機構の動作速度が下限値を超えたかを判断するかについては何ら開示しておらず、また、発変電所の断路器の状態を具体的にどのようにして監視するかについては何ら開示していない。
【０００５】
本発明の目的は、発変電所機器の状態を自動監視することができる変電所機器の遠方監視方法およびシステムを提供することにある。
【課題を解決するための手段】
【０００６】
本発明の第１の発変電所機器の遠方監視方法は、発変電所の遠方操作機器の状態を遠制装置（１１００）により監視するのに用いられる発変電所機器の遠方監視方法であって、前記遠方操作機器を操作するための指令信号を前記遠制装置（１１００）から該遠方操作機器に入力し、前記指令信号に対する前記遠方操作機器の応動時間を測定するための信号を該遠方操作機器から前記遠制装置（１１００）に入力し、前記遠制装置（１１００）が前記応動時間に応じて前記遠方操作機器の状態を判定することを特徴とする。
ここで、前記遠方操作機器が、変電所に設置された遮断器（１０２）であり、前記指令信号が、前記遮断器（１０２）を開閉させるための指令信号（２０１，２０３）であり、前記応動時間を測定するための信号が、前記遮断器（１０２）の開閉動作に応じて作動する補助スイッチ（５０４）の出力信号（２０２）であってもよい。
また、前記遠制装置（１１００）が、前記指令信号（２０１，２０３）を前記遮断器（１０２）に入力した時間から前記補助スイッチ（５０４）の出力信号（２０２）が変化するまでの時間を測定し、該測定した時間の長短により前記遮断器（１０２）の状態を判定してもよい。
さらに、前記遠方操作機器が、変電所に設置された断路器（１０１）であり、前記指令信号が、前記断路器（１０１）を開閉させるための指令信号（３０１）であり、前記応動時間を測定するための信号が、前記断路器（１０１）の開閉動作に応じて作動するリミットスイッチ（６２０，６２１）の出力信号（３０２，３０３）であってもよい。
さらに、前記遠制装置（１１００）が、前記指令信号（３０１）を前記断路器（１０１）に入力した時間から前記リミットスイッチ（６２０，６２１）の出力信号（３０２，３０３）が変化するまでの時間を測定し、該測定した時間の長短により前記断路器（１０１）の状態を判定してもよい。
【０００７】
本発明の第２の発変電所機器の遠方監視方法は、発変電所の現地自動動作機器の状態を遠制装置（１１００）により監視するのに用いられる発変電所機器の遠方監視方法であって、前記現地自動動作機器が動作していることを示す信号を該現地自動動作機器から前記遠制装置（１１００）に入力し、該遠制装置（１１００）が前記信号に応じて前記現地自動動作機器の状態を判定することを特徴とする。
ここで、前記現地自動動作機器が、変電所に設置されたタップ切換器（７０１）であり、前記信号が、前記タップ切換器（７０１）のタップ切換モータを駆動する駆動信号（８０１）であってもよい。
また、前記遠制装置（１１００）が、前記駆動信号（８０１）より前記タップ切換モータの動作時間を測定し、該測定した動作時間の長短により前記タップ切換器（７０１）の状態を判定してもよい。
さらに、前記現地自動動作機器が、発変電所で用いられる排水ポンプであり、前記信号が、前記排水ポンプを駆動する駆動信号であってもよい。
さらに、前記現地自動動作機器が、発変電所で用いられるコンプレッサであり、前記信号が、前記コンプレッサを駆動する駆動信号であってもよい。
さらに、前記遠制装置（１１００）が、前記タップ切換器（７０１）のタップ切換モータを駆動する駆動信号（８０１），前記排水ポンプを駆動する駆動信号および前記コンプレッサを駆動する駆動信号より前記タップ切換モータ，前記排水ポンプおよび前記コンプレッサの所定時間当りの動作回数をそれぞれ測定し、該測定した動作回数の多少により前記タップ切換器（７０１），前記排水ポンプおよび前記コンプレッサの状態をそれぞれ判定してもよい。
【０００８】
本発明の第３の発変電所機器の遠方監視方法は、発変電所の遠方操作機器および現地自動動作機器の状態を遠制装置（１１００）により監視するのに用いられる発変電所機器の遠方監視方法であって、前記遠方操作機器を操作するための指令信号を前記遠制装置（１１００）から該遠方操作機器に入力し、前記指令信号に対する前記遠方操作機器の応動時間を測定するための信号を該遠方操作機器から前記遠制装置（１１００）に、また、前記現地自動動作機器が動作していることを示す信号を該現地自動動作機器から前記遠制装置（１１００）に入力し、前記遠制装置（１１００）が前記応動時間および前記信号に応じて前記遠方操作機器および前記現地自動動作機器の状態をそれぞれ判定することを特徴とする。
【０００９】
本発明の発変電所機器の遠方監視システムは、発変電所の遠方操作機器および現地自動動作機器の状態を遠制装置（１１００）により監視するのに用いられる発変電所機器の遠方監視システムであって、前記遠制装置（１１００）に設けられた、かつ、前記遠方操作機器を操作するための指令信号を発生し該遠方操作機器に入力する手段（１１１０）と、前記遠方操作機器に設けられた、かつ、前記指令信号に対する該遠方操作機器の応動時間を測定するための信号を前記遠制装置（１１００）に入力する手段と、前記現地自動動作機器に設けられた、かつ、該現地自動動作機器が動作していることを示す信号を前記遠制装置（１１００）に入力する手段と、前記遠制装置（１１００）に設けられた、かつ、前記応動時間および前記信号に応じて前記遠方操作機器および前記現地自動動作機器の状態をそれぞれ判定する手段（１１２０）とを備えることを特徴とする。
【００１０】
ここで、前記遠方操作機器が、変電所に設置された遮断器（１０２）および断路器（１０１）であり、前記指令信号が、前記遮断器（１０２）を開閉させるための第１の指令信号（２０１，２０３）および前記断路器（１０１）を開閉させるための第２の指令信号（３０１）であり、前記応動時間を測定するための信号が、前記遮断器（１０２）の開閉動作に応じて作動する補助スイッチ（５０４）の出力信号（２０２）および前記断路器（１０１）の開閉動作に応じて作動するリミットスイッチ（６２０，６２１）の出力信号（３０２，３０３）であり、前記遠制装置（１１００）に設けられた、かつ、前記第１の指令信号（２０１，２０３）を前記遮断器（１０２）に入力した時間から前記補助スイッチ（５０４）の出力信号（２０２）が変化するまでの時間を測定し該測定した時間の長短により前記遮断器（１０２）の状態を判定するとともに、前記第２の指令信号（３０１）を前記断路器（１０１）に入力した時間から前記リミットスイッチ（６２０，６２１）の出力信号（３０２，３０３）が変化するまでの時間を測定し該測定した時間の長短により前記断路器（１０１）の状態を判定する手段（１１２０）をさらに備えてもよい。
【００１１】
また、前記現地自動動作機器が、変電所に設置されたタップ切換器（７０１），発変電所で用いられる排水ポンプおよび発変電所で用いられるコンプレッサであり、前記信号が、前記タップ切換器（７０１）のタップ切換モータを駆動する駆動信号（８０１），前記排水ポンプを駆動する駆動信号および前記コンプレッサを駆動する駆動信号であり、前記遠制装置（１１００）に設けられた、かつ、前記タップ切換器（７０１）のタップ切換モータを駆動する前記駆動信号（８０１）より前記タップ切換モータの動作時間を測定し該測定した動作時間の長短により前記タップ切換器（７０１）の状態を判定するとともに、前記排水ポンプを駆動する駆動信号および前記コンプレッサを駆動する駆動信号より前記排水ポンプおよび前記コンプレッサの所定時間当りの動作回数をそれぞれ測定し該測定した動作回数の多少により前記排水ポンプおよび前記コンプレッサの状態をそれぞれ判定する手段（１１２０）をさらに備えてもよい。
さらに、前記判定する手段（１１２０）が、前記タップ切換器（７０１）のタップ切換モータを駆動する前記駆動信号（８０１）より前記タップ切換モータの動作時間を測定し該測定した動作時間の長短により前記タップ切換器（７０１）の状態を判定する代わりに、前記タップ切換器（７０１）のタップ切換モータを駆動する前記駆動信号（８０１）より前記タップ切換器（７０１）の所定時間当りの動作回数を測定し該測定した動作回数の多少により前記タップ切換器（７０１）の状態を判定してもよい。
【発明の効果】
【００１２】
本発明の発変電所機器の遠方監視方法およびシステムは、以下に示すような効果を奏する。
（１）変電所に設置されている遮断器および断路器などの遠方操作機器については、その応動時間を測定し、測定した応動時間の長短に応じてその状態を判定することにより、日常の運転操作時にも遠方操作機器の状態を自動監視することができるとともに、監視員が遠方操作機器を点検に行く頻度を少なくすることができる。
（２）発変電所に設置されているタップ切換器，排水ポンプおよびコンプレッサなどの現地自動動作機器については、それが動作していることを示す信号に応じてその状態を判定することにより、日常の運転操作時にも現地自動動作機器の状態を遠方より自動監視することができるとともに、監視員が現地自動動作機器を点検に行く頻度を少なくすることができる。
【発明を実施するための最良の形態】
【００１３】
発変電所機器の状態を自動監視するという目的を、遠方操作機器については、その応動時間の長短に応じてその状態を判定することにより、また、現地自動動作機器については、それが動作していることを示す信号に応じてその状態を判定することにより実現した。
【実施例１】
【００１４】
以下、本発明の発変電所機器の遠方監視方法の実施例について図面を参照して説明する。
図１は変電所に設置された遮断器および断路器を本発明の第１の実施例による遠方監視方法を用いて自動監視する際の遮断器１０２および断路器１０１，１０３を切るときの操作手順を示す図であり、図２は図１に示した遮断器１０２を自動監視する際に用いる応動時間の測定方法を説明するための図であり、図３は図１に示した遮断器１０２に入力される切指令信号２０１および入指令信号２０３と補助スイッチ５０４の出力信号２０２とのタイミングを示す図であり、図４は図１に示した断路器１０１を自動監視する際に用いる応動時間の測定方法を説明するための図であり、図５は図１に示した断路器１０１に入力される切指令信号３０１と切側リミットスイッチ６２０の出力信号３０２とのタイミングを示す図であり、図６は変電所に設置された断路器および遮断器を本発明の第１の実施例による遠方監視方法を用いて自動監視する際の遮断器１３２，１３３および断路器１３１を切るときの操作手順を示す図である。
図１に四角で囲った１１０ｋＶ母線と１１０ｋＶ Ａ線１号（送電線）との間に設置された遠方操作機器である断路器１０１，１０３および遮断機１０２の状態を本実施例の遠方監視方法を用いて自動監視する場合には、遮断器１０２，断路器１０１および断路器１０３の順で切って１１０ｋＶ Ａ線１号を停電させるが、このときの遮断器１０２および断路器１０１，１０３の応動時間を以下のように測定することにより、断路器１０１，１０３および遮断器１０２の状態を監視する。
【００１５】
遮断器１０２を切るときには、図２（ａ）に示すように、遠制装置（不図示）からピストン駆動部５０３に遮断器１０２用の切指令信号２０１（図３（ａ）参照）を時刻ｔ0に入力してピストンロッド５０２を図示上方向に動かすことにより、遮断部５０１において１１０ｋＶ母線と１１０ｋＶ Ａ線１号（送電線）とを切り離す。このとき、連結機構５０５を介してピストンロッド５０２に連結された補助スイッチ５０４がピストンロッド５０２の動きに応じて作動し、補助スイッチ５０４の出力信号２０２は、図３（ｂ），（ｃ）に示すように、遮断器１０２の入り状態を示すロウレベルから切り状態を示すハイレベルに変化する。
【００１６】
ここで、遮断器１０２が正常に動作している場合には、補助スイッチ５０４の出力信号２０２は、図３（ｂ）に示すように、切指令信号２０１がピストン駆動部５０３に入力されたのち所定の動作時間（ｔ1−ｔ0）経過後に切り状態を示すハイレベルになる。
一方、遮断器１０２がグリス固化などにより正常に動作しなくなると、補助スイッチ５０４の出力信号２０２は、図３（ｃ）に示すように、切指令信号２０１がピストン駆動部５０３に入力されたのち所定の動作時間（ｔ1−ｔ0）が経過しても切り状態を示すハイレベルにはならず、その後一定の時間（ｔ2−ｔ1）を経過したのちにハイレベルとなる。すなわち、遮断器１０２の応動時間（切指令信号２０１がピストン駆動部５０３に入力されたのち補助スイッチ５０４の出力信号２０２がハイレベルになるまでの時間）は、遮断器１０２が正常状態のとき（ｔ1−ｔ0）よりも異常状態となったとき（ｔ2−ｔ0）の方が長くなる。
【００１７】
したがって、たとえば変電所ごとにまたは複数の変電所ごとに設けられた遠制装置より切指令信号２０１を遮断器１０２に入力し、そのときの遮断器１０２の応動時間を測定し、この測定した応動時間を監視することにより、遮断器１０２の状態を自動監視することができる。
【００１８】
なお、上述した説明では遮断器１０２を切るときの遮断器１０２の応動時間を測定して遮断器１０２の状態を自動監視したが、図３（ｄ）に示すように、遠制装置より入指令信号２０３を遮断器１０２に入力し、そのときの遮断器１０２の応動時間（入指令信号２０３がピストン駆動部５０３に入力されたのち補助スイッチ５０４の出力信号２０２がロウレベルになるまでの時間ｔ3−ｔ0，ｔ4−ｔ0）を測定し、この測定した応動時間を監視することによっても、同様にして遮断器１０２の状態を自動監視することができる。
【００１９】
次に、断路器１０１の状態を自動監視する方法について図４を参照して説明する。断路器１０１は三相の水平二点切形断路器であり、遠制装置から操作装置６１２に断路器１０１用の切指令信号３０１（図５（ａ）参照）を時刻ｔ0に入力して、操作装置６１２を半時計方向に回転させる。このときの操作装置６１２の水平回転力を操作ロッド６２０，操作ベアリング６１９，駆動ロッド６１８および駆動レバ６１７と伝達して、第１相用の中央の碍子装置６０３の底部に取り付けられたスラストベアリング６１５を回転させる。これにより、スラストベアリング６１５およびスラストベアリング６１５が取り付けられた碍子装置６０３も反時計回りに回転する。その結果、この碍子装置６０３の先端に連結されたブレード６０２も半時計回りに水平回転し（図示破線参照）、ブレードノックピンが他の２本の碍子装置６０３の先端に取り付けられた固定接触部６０１から外れ、１１０ｋＶ母線と１１０ｋＶ Ａ線１号（送電線）とが切り離される。
他の相（第２相および第３相）については、スラストベアリング６０５から操作丸棒６１１（または、パイプ）を介して駆動力が伝達され、これにより碍子装置６０３の先端に連結されたブレード６０２が半時計回りに水平回転し（図示破線参照）、ブレードノックピンが固定接触部６０１から外れ、１１０ｋＶ母線と１１０ｋＶ Ａ線１号（送電線）とが切り離される。
【００２０】
ここで、断路器１０１が正常に動作している場合には、第３相用の中央の碍子装置６０３の底部に取り付けられた切側リミットスイッチ６２０がスラストベアリング６０５の反時計回りの水平回転によりオンされる。その結果、切側リミットスイッチ６２０の出力信号３０２は、図５（ｂ）に示すように、切指令信号３０１が操作装置６１２に入力されたのち所定の動作時間（ｔ1−ｔ0）経過後に切り状態を示すハイレベルになる。
一方、断路器１０１がグリス固化などにより正常に動作しなくなると、切側リミットスイッチ６２０の出力信号３０２は、図５（ｃ）に示すように、切指令信号３０１が操作装置６１２に入力されたのち所定の動作時間（ｔ1−ｔ0）が経過しても切り状態を示すハイレベルにはならず、その後一定の時間（ｔ2−ｔ1）を経過したのちにハイレベルとなる。すなわち、断路器１０１の応動時間（切指令信号３０１が走査装置６１２に入力されたのち切側リミットスイッチ６２０の出力信号３０２がハイレベルになるまでの時間）は、断路器１０１が正常状態のとき（ｔ1−ｔ0）よりも異常状態となったとき（ｔ2−ｔ0）の方が長くなる。
【００２１】
したがって、たとえば変電所ごとにまたは複数の変電所ごとに設けられた遠制装置より切指令信号３０１を断路器１０１に入力し、そのときの断路器１０１の応動時間を測定し、この測定した応動時間を監視することにより、断路器１０１の状態を自動監視することができる。
【００２２】
なお、上述した説明では断路器１０１を切るときの断路器１０１の応動時間を測定して断路器１０１の状態を自動監視したが、遠制装置より入指令信号を断路器１０１（操作装置６１２）に入力し、そのときの断路器１０２の応動時間（入指令信号が操作装置６１２に入力されたのち、第３相用の中央の碍子装置６０３の底部に取り付けられた入側リミットスイッチ６２１の出力信号２０３がハイレベルになるまでの時間）を測定し、この測定した応動時間を監視することによっても、同様にして断路器１０１の状態を自動監視することができる。
【００２３】
また、上述した説明では１１０ｋＶ Ａ線１号（送電線）側の断路器１０１の状態を監視する方法について述べたが、１１０ｋＶ母線側の断路器１０３についても同様にしてその状態を監視することができる。
【００２４】
以上の説明では図１に示した１１０ｋＶ母線と１１０ｋＶ Ａ線１号（送電線）との間に設置された遮断器１０２および断路器１０１，１０３について述べたが、１１０ｋＶ母線と１１０ｋＶ Ａ線２号（送電線）との間に設置された遮断器１２２および断路器１２１，１２３についても同様にしてその状態を監視することができる。
また、図６に四角で囲んだ１１０ｋＶ母線と６ｋＶ母線との間に設置された１号変圧器１３４を停電させて遮断器１３２，１３３および断路器１３１の状態を監視する場合には、遮断器１３２，遮断器１３３，断路器１３１の順に切って、上述した遮断器１０２および断路器１０１の監視と同様に行えばよい。１１０ｋＶ母線と６ｋＶ母線との間に設置された２号変圧器１４４を停電させて遮断器１４２，１４３および断路器１４１の状態を監視する場合も同様である。
さらに、１１０ｋＶ母線に設置された遮断器１５２および断路器１５１，１５３や、６ｋＶ母線に設置された遮断器１５４や、６ｋＶ母線と６ｋＶ海線，６ｋＶ山線，６ｋＶ川線および６ｋＶ丘線との間にそれぞれ設置された遮断器１６１〜１６４についても、同様にしてそれらの状態を監視することができる。
【実施例２】
【００２５】
以上は、変電所に設置された遮断器および断路器のような遠方操作機器の状態を自動監視する方法について説明したが、本発明の第２の実施例による遠方監視方法は、変圧器に用いられるタップ切換器のような現地自動動作機器の状態を自動監視するものである。
【００２６】
まず、図７に示すタップ切換器７０１の状態を自動監視する方法について説明する。タップ切換器７０１は、電動操作機構７１０内に配置されているタップ切換モータ（不図示）を駆動信号８０１により駆動し、垂直連結軸７０２とベベルギヤボックス７０３内に格納されたベベルギヤと水平連結軸７０４とを介して所要のタップ位置へ切換えるものである。そこで、タップ切換モータを駆動する駆動信号８０１を遠制装置に入力し、タップ切換モータが動作していることを示す駆動信号８０１がハイレベルである時間を測定する。
【００２７】
タップ切換器７０１が正常な状態である場合には、タップ切換モータの動作時間は設定時間内に収まるが、タップ切換器７０１が正常な状態でない場合には、タップ切換モータの動作時間は設定時間よりも長くなる。したがって、遠制装置では、タップ切換モータが動作していることを示す駆動信号８０１がハイレベルである時間と設定時間とを比較して、前者が後者よりも長い場合には、タップ切換器７０１に異常が生じているとわかる。
【００２８】
次に、タップ切換器７０１の状態を判定する別の方法について説明する。タップ切換器７０１の所定時間（たとえば、１日，１週間，１ヶ月など）当りの動作回数はほぼ決まっているため、タップ切換器７０１の所定時間当りの動作回数が設定回数以内であるか否かを測定することにより、タップ切換器７０１の状態を監視することができる。
したがって、タップ切換器７０１のタップ切換モータを駆動する駆動信号を遠制装置に入力し、この駆動信号の立上りを遠制装置に設けたカウンタ（不図示）でカウントする。遠制装置では、そのカウント値と設定回数とを比較して、前者が後者よりも多い場合には、タップ切換器７０１に異常が生じているとわかる。なお、カウンタのカウント値は所定時間ごとにリセットする。
カウンタは遠制装置ではなくてタップ切換器７０１に設けてもよく、この場合にはこのカウンタのカウント値を遠制装置に入力する。
【００２９】
次に、現地自動動作機器の一つである発変電所で用いられる排水ポンプの状態を自動監視する方法について説明する。この場合には、排水ポンプの所定時間（たとえば、１日，１週間，１ヶ月など）当りの動作回数はほぼ決まっているため、排水ポンプの所定時間当りの動作回数が設定回数以内であるか否かを測定することにより、排水ポンプの状態を監視することができる。
したがって、排水ポンプを駆動する駆動信号を遠制装置に入力し、この駆動信号の立上りを遠制装置に設けたカウンタ（不図示）でカウントする。遠制装置では、そのカウント値と設定回数とを比較して、前者が後者よりも多い場合には、排水ポンプに異常が生じているとわかる。なお、カウンタのカウント値は所定時間ごとにリセットする。
カウンタは遠制装置ではなくて排水ポンプに設けてもよく、この場合にはこのカウンタのカウント値を遠制装置に入力する。
【００３０】
次に、現地自動動作機器の一つである発変電所で用いられるコンプレッサ（空気圧縮機）の状態を自動監視する方法について説明する。この場合には、コンプレッサの所定時間（たとえば、１日，１週間，１ヶ月など）当りの動作回数はほぼ決まっているため、コンプレッサの所定時間当りの動作回数が設定回数以内であるか否かを測定することにより、コンプレッサの状態を監視することができる。
したがって、コンプレッサを駆動する駆動信号を遠制装置に入力し、この駆動信号の立上りを遠制装置に設けたカウンタ（不図示）でカウントする。遠制装置では、そのカウント値と設定回数とを比較して、前者が後者よりも多い場合には、コンプレッサに異常が生じているとわかる。なお、カウンタのカウント値は所定時間ごとにリセットする。
カウンタは遠制装置ではなくてコンプレッサに設けてもよく、この場合にはこのカウンタのカウント値を遠制装置に入力する。
【実施例３】
【００３１】
次に、本発明の一実施例による発変電所機器の遠方監視システムについて説明する。
図８は本実施例による遠方監視システムに用いられる遠制装置１１００のブロック図である。遠制装置１１００は、図１に示した遮断器１０２および断路器１０１，１０３などの複数の遠方操作機器を操作するための指令信号（図３（ａ）に示した切指令信号２０１，図３（ｄ）に示した入指令信号２０３および図５（ａ）に示した切指令信号３０１など）を発生し遠方操作機器に入力する指令信号発生部１１１０と、複数の遠方操作機器から入力されるこれらの機器の応動時間を示す信号（図３（ｂ），（ｃ）に示した補助スイッチ５０４の出力信号２０２，図５（ｂ），（ｃ）に示した切側リミットスイッチ６２０の出力信号３０２および図４に示した入側リミットスイッチ６２１の出力信号３０３など）や図７に示したタップ切換器７０１，排水ポンプおよびコンプレッサなどの複数の現地自動動作機器から入力されるこれらの機器が動作していることを示す信号（図７に示した駆動信号８０１，排水ポンプを駆動する駆動信号およびコンプレッサを駆動する駆動信号など）に応じて複数の遠方操作機器および複数の現地自動動作機器の状態をそれぞれ判定する判定部１１２０とを備える。
ここで、指令信号発生部１１１０は、たとえば、監視する機器を選択するための信号と指令信号との論理積回路を用いて構成すればよい。
【００３２】
このように構成された遠制装置１１００の動作は上述した本発明の発変電所機器の遠方監視方法の説明から当業者には容易に理解することができるため、その説明は省略する。
【００３３】
なお、複数の遠方操作機器および複数の現地自動動作機器の状態を遠制装置１１００に記憶しておくことにより、メンテナンス・パーソナルコンピュータから遠制装置１１００をアクセスしてこれらの機器の履歴情報を取り出せるようにしてもよい。また、制御所に設けられたコンピュータと遠制装置１１００とをネットワークなどを介して接続することにより、制御所に設けられたコンピュータからもこれらの機器の履歴情報を取り出せるようにしてもよい。このとき、履歴情報を機器グループごとに整理しておき、メンテナンス・パーソナルコンピュータなどから遠制装置１１００をアクセスして、機器グループごとに履歴情報を外部媒体へ抽出保存できるようにしてもよい。
また、遠制装置１１００が遠方操作機器または現地自動動作機器の異常を発見した場合には、制御所に設けられた表示装置に警報表示するようにしてもよい。
さらに、本発明による発変電所機器の遠方監視方法およびシステムによれば、発電機などの起動時および停止時を監視して、発電機などの起動停止時のシーケンスが正常に流れているか否かの監視を行うこともできる。
【産業上の利用可能性】
【００３４】
以上説明したように、本発明の発変電所機器の遠方監視方法およびシステムは、発変電所で用いられている各種機器の状態を監視するときに使用することができる。
【図面の簡単な説明】
【００３５】
【図１】変電所に設置された遮断器および断路器を本発明の第１の実施例による遠方監視方法を用いて自動監視する際の遮断器１０２および断路器１０１，１０３を切るときの操作手順を示す図である。（実施例１）
【図２】図１に示した遮断器１０２を自動監視する際に用いる応動時間の測定方法を説明するための図である。（実施例１）
【図３】図１に示した遮断器１０２に入力される切指令信号２０１および入指令信号２０３と補助スイッチ５０４の出力信号２０２とのタイミングを示す図である。（実施例１）
【図４】図１に示した断路器１０１を自動監視する際に用いる応動時間の測定方法を説明するための図である。（実施例１）
【図５】図１に示した断路器１０１に入力される切指令信号３０１と切側リミットスイッチ６２０の出力信号３０２とのタイミングを示す図である。（実施例１）
【図６】変電所に設置された断路器および遮断器を本発明の第１の実施例による遠方監視方法を用いて自動監視する際の遮断器１３２，１３３および断路器１３１を切るときの操作手順を示す図である。（実施例１）
【図７】変電所に設置されたタップ切換器を本発明の第２の実施例による遠方監視方法を用いて自動監視する際のタップ切換器の操作手順を示す図である。（実施例２）
【図８】本発明の一実施例による発変電所機器の遠方監視システムに用いられる遠制装置のブロック図である。（実施例３）
【符号の説明】
【００３６】
１０１，１０３，１２１，１３１，１４１，１５１，１５３  断路器
１０２，１２２，１３２，１３３，１４２，１４３，１５２，１５４，１６１〜１６４  遮断器
１３４，１４４  変圧器
２０１，３０１  切指令信号
２０２，３０２  出力信号
２０３  入指令信号
５０１  遮断部
５０２  ピストンロッド
５０３  ピストン駆動部
５０４  補助スイッチ
５０５  連結機構
５０６  開閉表示部
６０１  固定接触部
６０２  ブレード
６０３  碍子装置
６０４  固定座板
６０５  スラストベアリング
６０６  ベース
６０７  駆動レバ
６０８  駆動ロッド
６０９  操作ベアリング
６１０  操作ロッド
６１１  操作丸棒
６１２  操作装置
６２０  切側リミットスイッチ
６２１  入側リミットスイッチ
７０１  タップ切換器
７０２  垂直連結軸
７０３  ベベルギヤボックス
７０４  水平連結軸
７１０  電動操作機構
８０１  駆動信号
１１００  遠制装置
１１１０  指令信号発生部
１１２０  判定部
【図１】
2005168121.tif 000003
【図２】
2005168121.tif 000004
【図３】
2005168121.tif 000005
【図４】
2005168121.tif 000006
【図５】
2005168121.tif 000007
【図６】
2005168121.tif 000008
【図７】
2005168121.tif 000009
【図８】
2005168121.tif 000010